(57)【要約】      （修正有）【課題】鍼の施術の際に、鍼収納容器が簡単に移動しないように保持する鍼収納容器保持具を提供する。【解決手段】鍼の使用時にトレーになる底板部と該底板部の周縁を取り囲み外周に袴部が延設された周壁部１１とを有する鍼収納容器１０を挿入して、保持する板状の保持用板２を備える鍼収納容器保持具１であって、前記板状の保持用板２の上面に、前記袴部が挿入される挿入保持部３と、鍼収納容器１０の先端が突き当たって位置決めされる位置決め当接部４と、鍼収納容器１０の挿入後に挿入逆方向への戻りを止める戻り止め部５と、を有する。【選択図】図１
0003152803.tif 000002
【実用新案登録請求の範囲】
【請求項１】
鍼の使用時にトレーになる底板部と該底板部の周縁を取り囲み外周に袴部が延設された周壁部とを有する鍼収納容器を挿入して、保持する平板状の保持用板を備える鍼収納容器保持具であって、
前記板状の保持用板の上面に、前記袴部が挿入される挿入保持部と、前記鍼収納容器の先端が突き当たって位置決めされる位置決め当接部と、前記鍼収納容器の挿入後に挿入逆方向への戻りを止める戻り止め部と、を有することを特徴とする鍼収納容器保持具。
【請求項２】
前記挿入保持部が一対で前記当接部と前記戻り止め部との間の前記当接部に近い位置に前記鍼収納容器の挿入される方向に直交する幅よりも大きい間隔を開けて対向して置かれ、前記挿入保持部の長さが前記鍼収納容器の略半分に構成されていることを特徴とする請求項１に記載の鍼収納容器保持具。
【請求項３】
前記挿入保持部は、前記板状の保持用板との間に、前記袴部の厚さよりも大きい隙間を有することを特徴とする、請求項２に記載の鍼収納容器保持具。
【請求項４】
前記位置決め当接部は、前記板状の保持用板との間に、前記袴部の厚さよりも大きい隙間を有することを特徴とする、請求項３に記載の鍼収納容器保持具。
【請求項５】
前記戻り止め部は、前記位置決め当接部から鍼収納容器の長さよりも大きい距離に位置し、鍼収納容器の挿入方向に次第に高さを増加するように構成されていることを特徴とする、請求項４に記載の鍼収納容器保持具。
【請求項６】
前記板状の保持用板の下面に、水平方向の滑りを止める滑り止め部材を有することを特徴とする、請求項５に記載の鍼収納容器保持具。
【考案の詳細な説明】
【技術分野】
【０００１】
本考案は、鍼灸鍼を収納することができる鍼収納容器を施術時の鍼のトレーとして使用するに当たって、鍼の取り出しの際や、周囲に置かれた扇風機の風で、鍼収納容器が思わぬ位置へ移動してしまうことを防止する鍼収納容器を保持する鍼収納容器保持具に関するものである。
【背景技術】
【０００２】
鍼施術による感染予防の要請から、近時はディスポーザブル鍼（略称ディスポ鍼）、いわゆる使い捨て鍼が使用されるようになっており、例えば、鍼の包装形態としては鍼収納溝を形成した樹脂製容器に鍼を１本ずつ収納して滅菌ガス透過性のシートで覆い、これをガス滅菌した鍼収納容器が用いられている。
【０００３】
そして、上記鍼収納容器の底板は、特許文献１に示すように鍼収納容器であると共に、施術の際は鍼を置くトレーとしても使われることが多く、上記鍼収納容器は、薄手の合成樹脂で成形されて、その重量はトレーの面積の割合に小さい。
【先行技術文献】
【特許文献】
【０００４】
【特許文献１】実用新案登録第３１１５８９４号公報
【考案の概要】
【考案が解決しようとする課題】
【０００５】
しかし、上記収納容器に収められた鍼の使用に際しては、鍼が鍼収納部である鍼の形状をなした収納溝に嵌っている場合には、鍼を１本１本取り出すため、鍼の摘み出しが容易ではなく、鍼の取り出しの際に、鍼収納容器が鍼と一緒に持ち上がったり、別の場所に移動してしまうという難点がある。
【０００６】
また、施術時に、暑い場合は扇風機が近くにあったりすると、その風で面積に対して重量の軽い鍼収納容器が移動してしまうという問題点がある。
【０００７】
本考案が解決しようとする課題は、鍼の施術の際に、鍼収納容器が簡単に移動しないように保持する鍼収納容器保持具を提供しようとするものである。
【課題を解決するための手段】
【０００８】
本考案の、鍼収納容器保持具は、鍼の使用時にトレーになる底板部と該底板部の周縁を取り囲み外周に袴部が延設された周壁部とを有する鍼収納容器を挿入して、保持する板状の保持用板を備える鍼収納容器保持具であって、前記板状の保持用板の上面に、前記袴部が挿入される挿入保持部と、前記鍼収納容器の先端が突き当たって位置決めされる位置決め当接部と、前記鍼収納容器の挿入後に挿入逆方向への戻りを止める戻り止め部と、を有することを特徴とする。
【０００９】
この鍼収納容器保持具によれば、鍼収納容器を位置決め当接部に先端が当た  るまで挿入すると、挿入保持部により鍼収納容器の袴部が保持されて、戻り止  め部により抜けが防止される。
【００１０】
請求項２に記載のものでは、前記挿入保持部が一対で前記当接部と前記戻り止  め部との間の前記当接部に近い位置に前記鍼収納容器の挿入される方向に直交  する幅よりも大きい間隔を開けて対向して置かれ、前記挿入保持部の長さが前  記鍼収納容器の略半分に構成されていることを特徴とし、これにより、鍼収納  容器が挿入方向に直交する方向へ多少傾いて挿入されても、鍼収納容器が滑ら  かに鍼収納容器保持具に収まる。
【００１１】
請求項３に記載のものでは、前記挿入保持部は、前記板状の保持用板との間に  、前記袴部の厚さよりも大きい隙間を有することを特徴とし、これにより、斜  め上方から張り収納容器が挿入されれも、滑らかに鍼収納容器保持具に収まる  。
【００１２】
請求項４に記載のものでは、前記位置決め当接部は、前記板状の保持用板と  の間に、前記袴部の厚さよりも大きい隙間を有することを特徴とし、これによ  り、鍼収納容器の先端部の袴部の上方への移動が抑えられて、安定に鍼収納容  器が保持される。
【００１３】
請求項５に記載のものでは、前記戻り止め部は、前記位置決め当接部から鍼収納容器の長さよりも大きい距離に位置し、鍼収納容器の挿入方向に次第に高さを増加するように構成されていることを特徴とし、これにより、鍼収納容器を保持具上を滑らせるように挿入しても、鍼収納容器の先端部と後端部の袴部が斜めの部分に乗り上げるので、滑らかに鍼収納容器保持具に収まる。
【００１４】
請求項６に記載のものでは、前記板状の保持用板の下面に、水平方向の滑りを止める滑り止め部材を有することを特徴とし、これにより、容易な移動が妨げられるので、施術の際の鍼の置かれる位置が安定する。
【考案の効果】
【００１５】
本考案の鍼収納容器保持具によれば、鍼収納容器の位置が安定するので、施術中に手が触れたり、周囲に置かれた扇風機からの風の力で鍼収納容器が簡単に移動することが無くなり、鍼収納容器の位置が定位置となり、鍼の施術を安定して行なうことができる。
【図面の簡単な説明】
【００１６】
【図１】鍼収納容器保持具の第１実施例を示す斜視図である。
【図２】図１におけるＡ−Ａ線断面図である。
【図３】図１における鍼収納容器保持具の裏面の様子を示す図である。
【図４】鍼収納容器保持具の第２実施例を示す斜視図である。
【図５】図４の鍼収納容器保持具の側面図である。
【考案を実施するための形態】
【００１７】
本考案の鍼収納容器保持具は、鍼の使用時にトレーになる底板部と該底板部の周縁を取り囲み外周に袴部が延設された周壁部とを有する鍼収納容器を挿入して、保持する板状の保持用板を備える鍼収納容器保持具であって、前記板状の保持用板の上面に、前記袴部が挿入される挿入保持部と、前記鍼収納容器の先端が突き当たって位置決めされる位置決め当接部と、前記鍼収納容器の挿入後に挿入逆方向への戻りを止める戻り止め部と、を有する。
【実施例】
【００１８】
図１は、本考案の鍼収納容器１０が挿入された鍼収納容器保持具１の第１実施例を示す分解斜視図である。鍼収納容器保持具１に鍼収納容器１０が挿入された状態では、鍼収納容器の先端部が、鍼収納容器１に備えられた位置決め当接部４に当接することで、挿入位置が決められ、鍼収納容器１０の袴部１４が、挿入保持部３により左右の動きを規制され、戻り止め部５により、挿入逆方向への抜けを防止されている。
【００１９】
鍼収納容器保持具の本体は、平板状の保持用板であり、材料は、製造コストの点からすると、合成樹脂が適当であり、重量を稼ぐ点からすると金属材料が適当である。保持用板の上に置かれる、挿入保持部、位置決め当接部、戻り止め部は何れも、本体の保持用板と同時に成形されることが望ましい。
【００２０】
図２は図１におけるＡ−Ａ線断面図である。鍼収納容器の袴部が、一対の鍼収納容器保持具の保持部材と保持用板の間に挟まれて、上下の移動が規制され、一対の挿入保持部により左右の移動が規制されている。ここで、鍼収納容器の底板は鍼収納部１３とトレー部１２に分かれている。
【００２１】
図３は図１に示した鍼収納容器保持具の裏面に当たる下面の様子を示した図であり、そこには、水平方向の滑りを止める滑り止め部材７、８が付着している。滑り止め部材は、ゴム又は表面を粗面とした合成樹脂で作ることが適当である。
【００２２】
図４は収納容器保持具の第２の実施例を示す図である。図1の鍼収納容器保持具との違いは、保持用板が、鍼収納容器よりも大きめに構成されていることである。大きく作ることで、安定性が向上し、重量も増えるので施術中の移動の心配が減るという効果がある。ここで、図中の番号は、図1のものと共通している。
【００２３】
図５は図４に示した鍼収納容器保持具の側面図である。戻り止め部５が、鍼収納容器の挿入方向に次第にその高さが増加しているので、鍼収納容器を張り収納容器保持具へ挿入する際に、鍼収納容器の先端が戻り止め部５に当たっても滑らかに挿入することができる。
【符号の説明】
【００２４】
１    鍼収納容器保持具
２    保持用板
３    挿入保持部
４    位置決め当接部
５    戻り止め部
６    鍼収納容器保持具の裏面
７    滑り止め部材
８    滑り止め部材
１０  鍼収納容器
１１  周壁部
１２  底板部中のトレー部
１３  底板部中の鍼収納部
【図１】
0003152803.tif 000003
【図２】
0003152803.tif 000004
【図３】
0003152803.tif 000005
【図４】
0003152803.tif 000006
【図５】
0003152803.tif 000007